(57)【特許請求の範囲】
【請求項１】
底板が取外し可能な型枠にベース用ゴムチップとバインダーを混合して充填し、上板を被せて上方から加圧しながら一定時間加温した後、前記型枠を上下反転させて前記底板を取外し、一定時間加温することにより透水性のマット本体を成形し、該マット本体上面にカバー用ゴムチップを散在させ、上方から板状重しを被せて一定時間加温した後該板状重しを取除いて前記型枠から脱型することにより、前記マット本体上面に凹凸状の滞水部を形成するようにした緑化用透水性マットの製法。
【発明の詳細な説明】
【技術分野】
【０００１】
本発明は、植栽に緩やかに給水するので植栽の生育に好適であるし、植栽の根元に敷設することで根元を人や獣類の浸入から保護し、またヒートアイランド現象の抑制にも役立つ緑化用透水性マットの製法に関する。
【背景技術】
【０００２】
透水性マットは従来から知られており、その基本構成はゴムチップにバインダーを混合し、型枠内で加熱しながらプレスしてマット状に成形したものであるが、この構成を踏まえて更に安全性や耐久性を高めるための種々の研究がなされている（特許文献１、同２）。
【先行技術文献】
【特許文献】
【０００３】
【特許文献１】特開２０００−１３６５０３号公報
【特許文献２】特許第２５５３０８５号特許公報
【発明の概要】
【発明が解決しようとする課題】
【０００４】
例えば、特許文献１に記載の技術は、バインダーで結合し、内部に空隙を有する小石とゴムチップの混合体からなる表層と、バインダーで結合し、内部に空隙を有するゴムチップからなる内層とから構成したゴムチップ複合部材に関する。この技術によれば、通気性、通水性に優れ、適度な弾性を有するとされている。
また、特許文献２に記載の技術は、加硫ゴム等の弾性チップをウレタン等のバインダーで接着した弾性マットの表面に、２液高圧スプレーンマシンでスプレーした速硬化型ウレタンエラストマーの粒子が多数の透孔を有して結合した表面層を有する透水型弾性舗装材に関する。この技術によれば、速硬化型ウレタンエラストマーを使用するので、弾性マット表面に容易に微細な粒子が互いに多数の透孔を有して結合している厚い表面層を形成でき、その表面強度が大きいので耐久性に優れているとされている。
【０００５】
上述した先行技術は相応の効果を奏するものであるが、マット上面に水を積極的に保持する目的は無いし、そのような構成にもなっていないため、降雨や散布による水は速やかにマット内に浸透して地盤に吸収されることになり、持続性のある保水機能に欠けるという問題がある。このため、水分の蒸発が早い気候の頃には、地面や植栽が早期に水分不足になるが、これに対処するために散水、給水作業の頻度が多くなるという問題がある。
【０００６】
また、例えば公園や歩道脇の植栽は根元に人や動物が侵入して地面が踏み固められると、地中に水分が浸透することができなくなって植栽の生育が阻害されるという問題がある。
【０００７】
本発明は従来技術の問題点に鑑みなされたもので、植栽の成育に必要な水を緩やかに供給することで水分不足を解消して植栽を保護し、給水作業の負担を軽減し、歩行者の滑止め効果があり、人や動物の侵入に対する植栽の保護を図ることができ、しかもヒートアイランド現象を抑制することができる緑化用透水性マットの製法を提供することを目的とする。
【課題を解決するための手段】
【０００８】
上述した課題を解決するために構成した本発明の手段は、底板が取外し可能な型枠にベース用ゴムチップとバインダーを混合して充填し、上板を被せて上方から加圧しながら一定時間加温した後、前記型枠を上下反転させて前記底板を取外し、再度一定時間加温することにより透水性のマット本体を成形し、該マット本体上面にカバー用ゴムチップを散在させ、上方から板状重しを被せて一定時間加温した後該板状重しを取除いて前記型枠から脱型する工程からなり、前記マット本体上面に凹凸状の滞水部を形成することにある。
【発明の効果】
【０００９】
本発明は叙上の如く構成したから、下記の諸効果を奏する。
（１）緑化用透水性マットは、底板が取外し可能な型枠を用いてベース用ゴムチップにバインダーを混合固化してマット本体を成形し、型枠を上下反転させて底板を取外し、マット本体上面にカバー用ゴムチップを散在させて固着することにより凹凸状の滞水部を形成する工程で製造するから、マット本体及び滞水部からなる緑化用透水性マットを効率的に、品質を均一に製造することができる。
（２）本発明の製法によれば、透水性を有するマット本体の上面にカバー用ゴムチップを散在固着した凹凸状の滞水部を形成することができるから、降雨や散布した水は滞水部に滞留させて緩やかに浸透させることで、植栽の根を過剰給水から保護し、またヒートアイランド現象を抑制することができるし、植栽への給水作業を低減することができる。
（３）本発明の製法によれば、ベース用ゴムチップと同等以下の小さいカバー用ゴムチップを散在させてチップ本体の上面全面に起伏の大きい凹凸状の滞水部に形成するようにしたから、滞水能力に優れているし、水分をマット本体に緩やかに浸透させることができることから、植栽の根の保護とヒートアイランド現象の抑制を図ることができる。
【図面の簡単な説明】
【００１０】
【図１】本発明の実施の形態に係る緑化用透水性マットの外観斜視図である。
【図２】緑化用透水性マットの縦断面図である。
【図３】緑化用透水性マットの部分拡大図である。
【図４】（イ）乃至（ニ）は緑化用透水性マットの製造工程を示す説明図である。
【図５】変形例に係る緑化用透水性マットの斜視図である。
【図６】変形例に係る緑化用透水性マットの使用状態図である。
【発明を実施するための形態】
【００１１】
以下、本発明の実施の形態を図面に基づき詳述する。図において、１は緑化用透水性マット、２は該緑化用透水性マット１を構成するマット本体を示す。該マット本体２は、主として廃タイヤを破砕機によって例えば１〜８ｍｍの大きさに破砕処理して成形したベース用ゴムチップ３にバインダー４を適宜の比率で混合し、後述するように平面略四角形の板状立方体に成形したものからなり、約６０％の空隙を有することにより透水性を有している。バインダー４には、例えばウレタン等公知の熱硬化性樹脂を用いる。
【００１２】
５は前記マット本体２の上面２Ａに形成した滞水部である。該滞水部５はベース用ゴムチップ３と同様に、破砕機によって例えば約１〜４ｍｍｍの粒径に成形した多数のカバー用ゴムチップ６で成形してある。ここで、滞水部５を形成するカバー用ゴムチップ６は、凹凸状をした滞水部５に形成するためのものであるから、その大きさはベース用ゴムチップ３と同等以下、即ちベース用ゴムチップ３と同じ大きさか、それより小さいサイズに成形したものを用いる。この場合、大きさが異なるゴムチップを混合することにより、起伏の大きな凹凸状の滞水部５に形成することができる。
また、滞水部５はマット本体２の上面２Ａに層状に形成することは目的ではないし、層状にしても滞水性が向上することにはならないから、カバー用ゴムチップ６はマット本体２の上面２Ａを覆う程度の量を散在させれば足りる。
【００１３】
次に、緑化用透水性マット１の成形に用いる型枠１１について説明する。型枠１１は例えば金属材やＦＲＰによって形成した枠体１２と、底板体１３と、押え板１４と、板状重し１６とから構成してある。
枠体１２は上下が開放した四角形の枠部１２Ａと、該枠部１２Ａの下端から外側横方向に突出する枠部フランジ１２Ｂと、該枠部フランジ１２Ｂに形成したねじ挿通孔１２Ｃ、１２Ｃとから構成してある。
【００１４】
底板体１３は前記枠部１２Ａに略４分の１の深さまで嵌入する厚さのある四角形板状の底部１３Ａと、該底部１３Ａの下端から外側横方向に突出し、前記枠部フランジ１２Ｂと衝合する底板フランジ１３Ｂと、該底板フランジ１３Ｂに刻設したねじ穴１３Ｃ、１３Ｃとから構成してある。１４は押え板で、該押え板１４は枠部１２Ａに上方から嵌入する大きさの四角形の平板に形成してある。
そして、枠部フランジ１２Ｂと底板フランジ１３Ｂを衝合してねじ挿通穴１２Ｃからねじ穴１３Ｃに蝶ねじ１５を螺入して締着することにより、底板体１３は底部１３Ａを嵌入した状態で枠体１２に組み付けるようになっている。１６は滞水部５の成形過程で使用する板状重しで、該板状重し１６は枠部１２Ａに嵌合する大きさで厚さのある平板からなっている。
【００１５】
次に、上記型枠１１を用いて緑化用透水性マット１を製造する工程について、図４を参照しつつ説明する。先ず、底板体１３を組み付けてある型枠１１の内面に剥離剤を塗布して電気ヒーター台１７上に載置し、計測したベース用ゴムチップ３とバインダー４を混合して枠部１２に充填し（図４イ）、上方から押え板１４を嵌合して電気ヒーター台１７によって約６０℃に加温しながら加圧機１８によって約５分間プレスして成形し（図４ロ）、冷却することによりマット本体２を固化成形する。
【００１６】
加温とプレスによりマット本体２の成形が終了したら、底板体１３を取外し、上下を反転させて押え板１４を下側にして電気ヒーター台１７に載置する。上下反転により枠部１２Ａ内のマット本体２は押え板１４上に落下する。この状態で、電気ヒーター台１７により約６０℃で１５分間加温する。
【００１７】
上下反転させたことにより枠部１２Ａ内の上方に形成される空間に、カバー用ゴムチップ６を散在させる（図４ハ）。滞水部５はマット本体２の上面２Ａに起伏のある凹凸状に形成するものであるから、カバー用ゴムチップ６はマット本体２の上面２Ａを覆う程度の散布量で足りる。
上述の如く散在させたカバー用ゴムチップ５の上に板状重し１６を載せた状態にして、電気ヒーター台１７により約６０℃で約１５分間加温する。これにより、カバー用ゴムチップ６はマット本体２のバインダー４に貼着した状態になる。バインダー４が硬化したら、枠体２から取出して冷却することにより、縦横約３０ｃｍ、厚さ約３ｃｍの平板状をした緑化用透水性マット１の成形が完了する。なお、緑化用透水性マット１の形状及び大きさは、実施の形態で説明したものに限られるものではなく、例えば長方形でもよい。また、厚さも約１，６〜３，２ｃｍの範囲に設定すれば、必要な強度性、耐久性を持たせることができる。
【００１８】
本実施の形態に係る緑化用透水性マット１は、マット本体２が透水性を有しているから、雨水や散水は浸透して植栽の根元に順次供給される点は、従来の透水性マットと同じである。しかし、本実施の形態では、マット本体２の上面２Ａに滞水部５を形成し、雨水や散水の一部は滞水部５に一旦滞留させることで、全ての雨水等が直ぐにマット本体２に浸透することなく序々に浸透するようにしたので、植栽に短時間に過剰給水される事態を防止できるし、長く給水できるので植栽の水枯れを防止することができる。
【００１９】
また、緑化用透水性マット１は、植栽の根元に配設することで人や動物が根元の地面を押し固めて水の浸透性を低下させる事態を防止するから、植栽の成育にも好適である。しかも、緑化用透水性マット１は地面を覆うことで、雑草の発生を防止する効果もあるから植栽の生育に好適である。
【００２０】
また、緑化用透水性マット１は表面側の滞水部５に水を蓄えることで、気化熱によりヒートアイランド現象の抑制を図ることができる。
【００２１】
図５及び図６は本実施の形態の変形例に係る緑化用透水性マット２１を示す。該緑化用透水性マット２１は、上述した緑化用透水性マット１と同様にマット本体２２と、該マット本体２２の上面に形成した滞水部２３とから構成してあるが、内縁２１Ａと外縁２１Ｂが湾曲した、円形の４分の１のサイズの円弧状平板に形成したことにある。
【００２２】
このような円弧状平板に形成した緑化用透水性マット２１は、植栽の根元に円板を形成するように４枚配列することで、根元の周囲を完全に覆うことができるから、根元の周囲に水分を均等に補給できるし、人や動物が侵入して地面を固める事態を確実に防止でき、雨水等の浸透が阻害される事態を確実に防止できる。なお、緑化用透水性マット２１は３枚組でも６枚組でもよく、枚数に限定はない。
【００２３】
なお、本発明の製法に係る緑化用透水性マットについて、実施の形態では、植栽の成育のために植栽の根元に配置するものとして説明したが、例えば住宅のベランダに配置して散水することにより、ヒートアイランド現象を抑制するのに用いてもよい。また、玄関前通路等の歩行路に敷設することにより、ヒートアイランド現象の抑制と歩行時の滑り止めに使用しても有用である。
【符号の説明】
【００２４】
１、２１  緑化用透水性マット
２        マット本体
２Ａ      上面
３        ベース用ゴムチップ
４        バインダー
５        滞水部
６        カバー用ゴムチップ
１１      型枠
１２      枠部
１３      底板体
１３Ａ    底板
１６      板状重し
【図１】
0005408781.tif 000002
【図２】
0005408781.tif 000003
【図３】
0005408781.tif 000004
【図４−１】
0005408781.tif 000005
【図４−２】
0005408781.tif 000006
【図４−３】
0005408781.tif 000007
【図４−４】
0005408781.tif 000008
【図５】
0005408781.tif 000009
【図６】
0005408781.tif 000010